(57)【要約】【課題】火災等の際に熱による反りによって枠体と障子の間に隙間が発生することを抑制して火炎が屋内外を流通することを防止する。【解決手段】縦辷り出し窓１は、枠体４内に障子５を納めている。枠体４の吊元側の縦枠３Ａと障子５の縦框６Ａとの間に間隙１８を形成した。この間隙１８内において、縦枠３Ａの金属縦枠１０に第一係止部材２１を固定し、第一係止部材２１の屋内側に加熱発泡材２２を取り付けた。縦框６Ａの金属縦框１３には第二係止部材２３を固定し、その先端側に第一係止部材２１に対向させて屋外側に傾斜する係合片２３ｂを設けた。【選択図】図２
2016142015.tif 000002
【特許請求の範囲】
【請求項１】
枠体と該枠体内に納められた障子を備えた建具であって、
前記枠体と障子の間に形成された間隙において前記枠体と障子の一方に設けた第一係止部材と、
前記枠体と障子の他方に設けていて前記第一係止部材に係合可能な第二係止部材とを備え、
前記第一係止部材と第二係止部材は少なくとも一部で互いに対向していることを特徴とする建具。
【請求項２】
前記第一係止部材及び第二係止部材の一方に加熱発泡材を設けた請求項１に記載された建具。
【請求項３】
前記加熱発泡材は前記第一係止部材と第二係止部材の互いに対向している部分に設けた請求項２に記載された建具。
【発明の詳細な説明】
【技術分野】
【０００１】
本発明は、防火機構を備えた縦辷り出し窓等を含む建具に関する。
【背景技術】
【０００２】
従来、例えば特許文献１に記載されたテラス窓サッシにおいて、枠体に開閉可能に装着された障子の下枠と吊元側の下框との間の対向する面に間隙が形成されている。そして、下枠には間隙に突出する係合突部が形成され、障子には下框から突出する保持片が設けられている。また、下框には下枠の下面に向けて加熱発泡材が配置され、更に下枠の屋内側突部における屋外側を向く面にも加熱発泡材が配置されている。
【０００３】
そして、火災発生時に障子の下框が熱によって屋外側に反りを発生して変位することで下框の保持片が下枠の係合突部に当接して、下框の反りを抑制する。しかも、下框の加熱発泡材が発泡して間隙内を下枠の下面に向けて膨張すると共に、下枠の屋内側に設けた加熱発泡材も発泡して下框に向けて膨張することで、間隙を封止して火炎や熱が屋内外を通過することを防止している。
【０００４】
また、特許文献２に記載の建具においても、火災の際に枠体と障子の框が熱で反って隙間が発生し、この隙間から火炎や熱が屋外から屋内に流通することを防ぐために、反り防止材と隙間を塞ぐ加熱発泡材とが設けられている。
【先行技術文献】
【特許文献】
【０００５】
【特許文献１】特開２０１４−１１８７１４号公報
【特許文献２】特開２０１３−０８３１３４号公報
【発明の概要】
【発明が解決しようとする課題】
【０００６】
しかしながら、上述した特許文献１による建具は、火災発生時に枠体と障子の間の隙間を封止して火炎や熱が屋内と屋外を通過することを防ぐために、下枠と障子の下框の間、そして障子と屋内側の下枠の間にそれぞれ加熱発泡材を設けている。そのため、隙間を封止するために建具の枠体や障子の大きさに関わらず大量の加熱発泡材を必要とし、コストが増大する欠点があった。
また、特許文献２に記載の建具においても、加熱発泡材を膨張させる隙間の空間が広いために発泡後の加熱発泡材の密度が低くなり、枠体と障子との間の隙間を封止するためには大量の加熱発泡材が必要であった。
【０００７】
本発明は、このような課題に鑑みてなされたものであって、火災等の際に熱による反りによって枠体と障子の間に隙間が発生することを抑制して火炎が屋内外を流通することを防止するようにした建具を提供することを目的とする。
【課題を解決するための手段】
【０００８】
本発明による建具は、枠体と該枠体内に納められた障子を備えた建具であって、枠体と障子の間に形成された間隙において枠体と障子の一方に設けた第一係止部材と、枠体と障子の他方に設けていて第一係止部材に係合可能な第二係止部材とを備え、第一係止部材と第二係止部材は少なくとも一部で互いに対向していることを特徴とする。
本発明において、例えば建具の屋外側または屋内側で火災が発生した場合、熱によって障子や枠体が反って相対変位すると第一係合部材と第二係合部材の対向する部分が互いに係合することでそれ以上の変位を阻止して間隙を防ぎ、火炎や熱が屋内外を流通することを抑制できる。
【０００９】
また、第一係止部材及び第二係止部材の一方に加熱発泡材を設けることが好ましい。
火災発生時に加熱発泡材が第一係合部材と第二係合部材との間で加熱膨張するため、少ない量の加熱発泡材で第一係合部材と第二係合部材の間を封止することができて発泡した加熱発泡材の密度が高く、間隙内を屋内側と屋外側との間で火炎が通ることを防止し、防火性能を発揮できる。
【００１０】
また、加熱発泡材は第一係止部材と第二係止部材の互いに対向している部分に設けることが更に好ましい。
本発明では、火災発生時に第一係止部材と第二係止部材が係合可能な対向する領域に加熱発泡材を設けたため膨張する加熱発泡材によって間隙を封止すると共に第一及び第二係止部材間の発泡した加熱発泡材の密度が高いため、一層少ない量の加熱発泡材で封止して屋内外を火炎や熱が通過することを防止できる。
【発明の効果】
【００１１】
本発明による建具によれば、火災が発生した場合、障子が枠体に対して相対変位して反って第一係合部材と第二係合部材が互いに係合することでそれ以上の変位を阻止できる。しかも、第一係合部材と第二係合部材の間を封止することができて屋内側と屋外側との間で火炎や熱が通ることを防止して、高い防火性能を発揮できる。
また、火災発生時に加熱発泡材が第一係合部材と第二係合部材との間で加熱膨張するため、少ない量の加熱発泡材で間隙を封止できる。
【図面の簡単な説明】
【００１２】
【図１】本発明の実施形態による縦辷り出し窓の水平断面図である。
【図２】図１に示す縦辷り出し窓の縦枠と吊元側の縦框との間の間隙に設けた第一及び第二係止部材を示す拡大断面図である。
【図３】図２に示す第一及び第二係止部材の間で加熱発泡材が膨張した状態を示す断面図である。
【図４】本発明の変形例による第一及び第二係止部材と加熱発泡材の要部拡大断面図である。
【発明を実施するための形態】
【００１３】
以下、本発明の実施形態による建具の一例として縦辷り出し窓について図１乃至図３に基づいて説明する。
図１に示す実施形態による建具としての縦辷り出し窓１は例えばアルミと樹脂の複合サッシからなり、図１は縦辷り出し窓１の水平縦断面を示している。本実施形態による縦辷り出し窓１は、躯体の開口部２に上枠及び下枠と左右の縦枠３とが四角形枠状に形成された枠体４を取り付けている。
そして、枠体４内に開閉可能に納めた障子５は、それぞれアルミと樹脂からなる上框及び下框と左右の縦框６とを有し、その内部に例えばペアガラス等の複層ガラスからなるガラスパネル７を納めている。障子５の吊元８は見付け方向の一端部近傍に設けられ、その軸線は上下方向に延びて図示しない上枠と下枠に支持されている。
【００１４】
枠体４において、左右の縦枠３は、障子５の吊元８側の縦枠３Ａと反対側である手先側の縦枠３Ｂとを有している。これら縦枠３Ａ，３Ｂは屋外側に設けた金属縦枠１０と屋内側に設けた樹脂縦枠１１とをそれぞれ連結しており、特に樹脂縦枠１１は金属縦枠１０にねじ止めされて複数の中空部を設けて金属縦枠１０の内側に突出して形成されている。また、樹脂縦枠１１の屋内側には額縁１２が連結されている。図示しない上下枠も縦枠３と同様に金属枠と樹脂枠とが連結して形成されている。
【００１５】
また、障子５における縦框６は吊元側の縦框６Ａと反対側の縦框６Ｂとを有している。これら縦框６Ａ、６Ｂは屋外側に設けた金属縦框１３と屋内側に設けた樹脂縦框１４とを連結して形成され、樹脂縦框１４は樹脂縦枠１１の屋外側に設けたパッキン１５に当接して障子５を枠体４に密閉状態に閉鎖する。図示しない上下框も縦框６と同様に金属框と樹脂框とが連結して形成されている。
また、障子５には、手先側の縦框６Ｂと縦枠３Ｂとの間で開閉操作可能な例えばレバーハンドル１６を備えている。
【００１６】
また、吊元８側の縦枠３Ａと縦框６Ａとの間には間隙１８が上下方向に延びて形成されている。図２において、間隙１８の屋外側端部は金属縦框１３の突出部１３ａで覆われ、しかも突出部１３ａに設けたパッキン１９が金属縦枠１０に設けた受け部１０ａに当接して封止している。
間隙１８内において、金属縦枠１０には断面略Ｌ字状の第一係止部材２１がボルト等で固定され、第一係止部材２１は例えば屋内側を向いている。第一係止部材２１は例えば金属縦枠１０から起立する方向に延びる基部２１ａと略直角に曲げられた先端側の屈曲片２１ｂとを有しており、基部２１ａに加熱発泡材２２が設けられ、突起部２１ｃによって保持されている。
【００１７】
また、金属縦框１３には、先端側が第一係止部材２１の先端側に部分的に対向するように第二係止部材２３がボルト等で固定されている。第二係止部材２３は金属縦框１３から起立する方向に延びる基部２３ａと屋外側に斜めに傾斜する係合片２３ｂとを有している。第二係止部材２３の係合片２３ｂはその見込方向（屋内外方向）にみて所定の隙間を開けて第一係止部材２１の先端側と対向するように配設されている。
これら第一係止部材２１と第二係止部材２３は反り防止部材を構成しており、火災等の際に熱によって枠体４と障子５が反って相対変位すると第一係止部材２１と第二係止部材２３が係合してそれ以上の変位を阻止できる。第一及び第二係止部材２１、２３は間隙１８内で高さ方向において縦枠３Ａ及び縦框６Ａとほぼ同一長さに亘って延びている。なお、第一係止部材２１と第二係止部材２３は例えばステンレスやスチール等の不燃材で形成されていることが好ましい。
【００１８】
本実施形態による縦辷り出し窓１は上述した構成を有しており、次にその作用を説明する。
例えば屋外側に火災が発生して縦辷り出し窓１が高温に晒されると、枠体４と障子５が熱によって反って相対変位する。そのため、枠体４の吊元８側の金属縦枠１０に対して障子５の金属縦框１３が熱伸びによって屋外側に反りを生じる。すると、間隙１８内に形成した金属縦框１３の第二係止部材２３が金属縦枠１０に形成した第一係止部材２１と係合することで間隙１８を封止し、金属縦框１３のそれ以上の反りを阻止する。
【００１９】
しかも、これと同時に間隙１８内の第一係止部材２１に設けた加熱発泡材２２は高温雰囲気で屋内側に向けて発泡して熱膨張し、図３に示すように第一係止部材２１と第二係止部材２３の間に充満する。特に本実施形態では、第一係止部材２１と第二係止部材２３が部分的に対向して配設されているために第一係止部材２１から屋内側に熱膨張する加熱発泡材は第二係止部材２３によって受け止められ、第一係止部材２１と第二係止部材２３の間で高密度に保持される。
【００２０】
そのため、間隙１８全体の空間を加熱発泡材２２で封止する必要はなく、第一係止部材２１と第二係止部材２３の間に充満した高密度の加熱発泡材２２によって封止される。
また、第二係止部材２３の係合片２３ｂを第一係止部材２１に向けて斜めに傾斜させることで、第一係止部材２１との係止を確実に行うことができる上に、第一係止部材２１に設けた加熱発泡材２２の熱膨張を確実に受け止めて両係止部材２１，２３間に留めることができる。
【００２１】
上述のように本実施形態による縦辷り出し窓１によれば、火災等の際に枠体４の縦枠３Ａと吊元８側の障子５の縦框６Ａとの間の間隙１８内で縦枠３Ａに対して縦框６Ａが反って相対変位した場合に、対向する第一係止部材２１と第二係止部材２３が係合することで縦枠３Ａと縦框６Ａの反りを抑制できる。
しかも、第一係止部材２１と第二係止部材２３の間で加熱発泡材２２を膨張させることで第一及び第二係止部材２１，２３間の隙間を高密度に封止できて火炎や熱が屋内外に流通することを防止し、確実な遮炎効果を発揮できる。
また、加熱発泡材２２は第一係止部材２１と第二係止部材２３によって挟持されるため、発泡時に加熱発泡材２２が脱落することなく、しかも少量の加熱発泡材２２を用いて高密度で封止できるためコストを低減できる。
【００２２】
なお、本発明による建具は、上述した実施形態による縦辷り出し窓１に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明する。
【００２３】
例えば、図４（ａ）に示すように、第一係止部材２１において、第二係止部材２３と見付け方向に重なる対向領域にのみ加熱発泡材２２を設けてもよい。この場合には、図４（ｂ）に示すように、火災発生時に加熱発泡材２２は第一係止部材２１と第二係止部材２３の対向する領域内で発泡して熱膨張するため、第一係止部材２１と第二係止部材２３の間を高密度の加熱発泡材２２によって封止できる。しかも、この場合には第一実施形態よりも少量の加熱発泡材２２を設置すればよく、一層コストを低減できる。
【００２４】
また、上述した実施形態や変形例では、加熱発泡材２２は第一係止部材２１に設置したが、これに代えて第二係止部材２３に加熱発泡材２２を設置してもよく、その場合、加熱発泡材２２は第一係止部材２１と対向する領域を含んで設置するものとする。また、上述の構成に代えて、第一係止部材２１を金属縦框１３に設け、第二係止部材２３を金属縦枠１０に設けてもよい。
【００２５】
なお、本発明における第一係止部材２１と第二係止部材２３は上述した形状に限定されるものではなく、火災時における熱による反り等によって互いに係合可能であれば任意の形状を採用できる。
また、上述した実施形態では、縦辷り出し窓１における枠体４の吊元８側の縦枠３Ａと障子５の縦框６Ａとの間の防火機構について説明したが、枠体４と障子５の他の枠部と框部との間についても本発明の防火機構を採用できる。また、本発明は縦辷り出し窓１に限定されるものではなく、横辷り出し窓やＦＩＸ窓や引き違い窓等の各種の建具に適用できる。
【符号の説明】
【００２６】
１  縦辷り出し窓
３、３Ａ  縦枠
４  枠体
５  障子
６、６Ｂ  縦框
１０  金属縦枠
１３  金属縦框
１８  間隙
２１  第一係止部材
２２  加熱発泡材
２３  第二係止部材
【図２】
2016142015.tif 000003
【図３】
2016142015.tif 000004
【図４】
2016142015.tif 000005
【図１】
2016142015.tif 000006